(57)【要約】【課題】本体と嵌合部材を上下スライド可能に嵌合可能にする建築用造作材において、施工簡易にして現場作業能率を向上すること。【解決手段】本体２０と嵌合部材３０を一体成形し、本体２０の一端側の裏面に嵌合溝２２を備え、嵌合部材３０の一端側に嵌合突部３２を備えた建築用造作材１０であって、本体２０と嵌合部材３０が折れ容易部４０を介して一体成形されたもの。【選択図】  図１
2004211469.tif 000002
【特許請求の範囲】
【請求項１】
本体と嵌合部材を一体成形し、本体の一端側の裏面に嵌合溝を備え、嵌合部材の一端側に嵌合突部を備えた建築用造作材であって、本体と嵌合部材が折れ容易部を介して一体成形された建築用造作材。
【請求項２】
前記本体と嵌合部材が、発泡層と、該発泡層の表層側の非発泡層からなる請求項１に記載の建築用造作材。
【請求項３】
前記本体の裏面と嵌合部材の裏面がそれらの一体成形状態で面一をなす請求項１又は２に記載の建築用造作材。
【請求項４】
請求項１〜３のいずれかに記載の建築用造作材の施工方法であって、
本体と嵌合部材を施工現場で折れ容易部に沿って折ることにより分割して用いる建築用造作材の施工方法。
【請求項５】
前記建築用造作材を床面と壁面の交差部に配置される巾木として用いるに際し、前記嵌合部材を床面に沿わせるとともに、その嵌合突部を上端側に位置付けるように固定し、前記本体を壁面に固定し、その嵌合溝に上記嵌合部材の嵌合突部を上下スライド可能に嵌合する請求項４に記載の建築用造作材の施工方法。
【請求項６】
前記建築用造作材を天井面と壁面の交差部に配置される回り縁として用いるに際し、前記嵌合部材を天井面に沿わせるとともに、その嵌合突部を下端側に位置付けるように固定し、前記本体を壁面に固定し、その嵌合溝に上記嵌合部材の嵌合突部を上下スライド可能に嵌合する請求項４に記載の建築用造作材の施工方法。
【発明の詳細な説明】
【０００１】
【発明の属する技術分野】
本発明は、建物の巾木、回り縁等の建築用造作材及びその施工方法に関する。
【０００２】
【従来の技術】
特許文献１に記載の如く、床面と壁面の交差部に体裁良く納められる巾木として、本体と嵌合部材を一体成形し、本体の下端部と嵌合部材の上端部の接合部を裏面側から削り取り除去することによってそれらの本体と嵌合部材を分割し、床面に沿って固定される嵌合部材の上端部に壁面に固定される本体の下端部を上から嵌め付けるように重ねて組合わせ使用するものがある。
【０００３】
【特許文献１】
特開平１１−４２６１０（［００１４］、［００２２］、図１、図３）
【０００４】
【発明が解決しようとする課題】
特許文献１の巾木では、本体と嵌合部材の接合部を切り取り除去するものであり、施工複雑で現場作業能率が悪い。
【０００５】
本発明は、本体と嵌合部材を上下スライド可能に嵌合可能にする建築用造作材において、施工簡易にして現場作業能率を向上することにある。
【０００６】
【課題を解決するための手段】
請求項１の発明は、本体と嵌合部材を一体成形し、本体の一端側の裏面に嵌合溝を備え、嵌合部材の一端側に嵌合突部を備えた建築用造作材であって、本体と嵌合部材が折れ容易部を介して一体成形されたものである。
【０００７】
請求項２の発明は、請求項１の発明において更に、前記本体と嵌合部材が、発泡層と、該発泡層の表層側の非発泡層からなるようにしたものである。
【０００８】
請求項３の発明は、請求項１又は２の発明において更に、前記本体の裏面と嵌合部材の裏面がそれらの一体成形状態で面一をなすようにしたものである。
【０００９】
請求項４の発明は、請求項１〜３のいずれかに記載の建築用造作材の施工方法であって、本体と嵌合部材を施工現場で折れ容易部に沿って折ることにより分割して用いるようにしたものである。
【００１０】
請求項５の発明は、請求項４の発明において更に、前記建築用造作材を床面と壁面の交差部に配置される巾木として用いるに際し、前記嵌合部材を床面に沿わせるとともに、その嵌合突部を上端側に位置付けるように固定し、前記本体を壁面に固定し、その嵌合溝に上記嵌合部材の嵌合突部を上下スライド可能に嵌合するようにしたものである。
【００１１】
請求項６の発明は、請求項４の発明において更に、前記建築用造作材を天井面と壁面の交差部に配置される回り縁として用いるに際し、前記嵌合部材を天井面に沿わせるとともに、その嵌合突部を下端側に位置付けるように固定し、前記本体を壁面に固定し、その嵌合溝に上記嵌合部材の嵌合突部を上下スライド可能に嵌合するようにしたものである。
【００１２】
【作用】
請求項１、４の発明によれば下記▲１▼の作用がある。
▲１▼建築用造作材は、施工現場で、本体と嵌合部材を折れ容易部に沿って折ることにより、それらの本体と嵌合部材を分割して用いることができ、施工簡易にして現場作業能率を向上できる。
【００１３】
請求項２の発明によれば下記▲２▼の作用がある。
▲２▼本体と嵌合部材が発泡層を含むことにより折れ容易化できる。発泡層の表層側に非発泡層を含むことによって、非発泡層の表面に木目印刷を施す等、非発泡層の表面性を向上できる。
【００１４】
請求項３の発明によれば下記▲３▼の作用がある。
▲３▼本体の裏面と嵌合部材の裏面がそれらの一体成形状態で面一をなす。従って、建物の入隅部や出隅部で相交差する壁面のそれぞれに固定される建築用造作材の端面に４５度面取りを施すため、本体と嵌合部材を一体状態で４５度面取り加工し、その後本体と嵌合部材を折れ容易部に沿って折ることにより分割したとき、本体の裏面と嵌合部材の裏面がともに壁面に接する建物への固定状態で本体と嵌合部材の全長（Ｌ１＝Ｌ２＝Ｌ）を同一にすることができる（図３（Ｂ））。従って、本体と嵌合部材の全長の切断及び４５度面取り加工を、それらの一体状態で一度に行なっても、その後の長さ修正作業を伴うことがなく、現場作業能率を向上できる。
【００１５】
請求項５の発明によれば下記▲４▼の作用がある。
▲４▼床面と壁面の交差部に配置される巾木において、上述▲１▼〜▲３▼を実現できる。
【００１６】
請求項６の発明によれば下記▲５▼の作用がある。
▲５▼天井面と壁面の交差部に配置される回り縁において、上述▲１▼〜▲３▼を実現できる。
【００１７】
【発明の実施の形態】
図１は第１実施形態の建築用造作材を示し、（Ａ）は一体状態を示す端面図、（Ｂ）は分割状態を示す端面図、（Ｃ）は施工状態を示す端面図、図２は図１の折れ容易部を拡大して示す端面図、図３は建築用造作材を示し、（Ａ）は一体状態を示す斜視図、（Ｂ）は分割状態を示す斜視図、図４は建築用造作材が施工される入隅部と出隅部を示し、（Ａ）は入隅部を示す平面図、（Ｂ）は出隅部を示す平面図、図５は第２実施形態の建築用造作材を示し、（Ａ）は一体状態を示す端面図、（Ｂ）は分割状態を示す端面図、（Ｃ）は施工状態を示す端面図、図６は図５の折れ容易部を拡大して示す端面図である。
【００１８】
（第１実施形態）（図１〜図４）
建築用造作材１０は、図１〜図３に示す如く、例えば長尺状巾木であり、本体２０と嵌合部材３０を一体成形している。建築用造作材１０は、端面視で、本体２０の一端側（本実施形態では嵌合部材３０との接合側）の裏面２１Ｂに嵌合溝２２を備え、嵌合部材３０の一端側（本実施形態では本体２０との接合側）に嵌合突部３２を備える。
【００１９】
建築用造作材１０は、本体２０と嵌合部材３０を薄肉の折れ容易部４０を介して一体成形し、本体２０と嵌合部材３０を施工現場で折れ容易部４０に沿って折ることにより２分割可能としている。本実施形態において、建築用造作材１０は、本体２０の表面２１Ａと嵌合部材３０の表面３１Ａを鉛直に配置した状態で、本体２０の下面２１Ｃを水平状に引き込ませて嵌合部材３０の表面３１Ａに交差させ、本体２０の下面２１Ｃと嵌合部材３０の表面３１Ａの交差部に建築用造作材１０の長手方向に沿う凹溝４１を設ける（図２）。また、建築用造作材１０は、本体２０の裏面２１Ｂと嵌合部材３０の裏面３１Ｂを鉛直に配置した状態で、嵌合部材３０の上面３１Ｃを水平状にして本体２０の嵌合溝２２（溝側部）に交差させ、本体２０の嵌合溝２２と嵌合部材３０の上面３１Ｃの交差部に建築造作材１０の長手方向に沿う凹溝４２を設ける（図２）。そして、本体２０の表面２１Ａの下端部の裏面側で、凹溝４１と凹溝４２に挟まれる鉛直線に沿う薄肉部を折れ容易部４０とする。
【００２０】
建築用造作材１０は、本体２０の裏面２１Ｂと嵌合部材３０の裏面３１Ｂをそれらの一体成形状態で面一をなすものとする。本体２０と嵌合部材３０は巾木を構成するとき、それらの裏面２１Ｂ、３１Ｂをともに壁面に添設する。
【００２１】
建築用造作材１０は、本体２０と嵌合部材３０の全体を、発泡層１１と、発泡層１１の表層側の非発泡層１２からなるものとする。建築用造作材１０は、例えば合成木材からなるものとし、ＡＢＳ樹脂（ＰＳ、ＰＶＣ、ＡＡＳ等の樹脂でも可）に木粉（ＣａＣＯ３等でも可）を混合し（例えば木粉の混合率を２０重量％とする）、この混合体の容積が１．５〜２倍となるように発泡した発泡層１１と、その非発泡層１２とを２層押出し加工することにより製造できる。非発泡層１２の表面に木目印刷を施すこともできる。
【００２２】
建築用造作材１０を用いた巾木の施工手順は以下の如くになる。
（１）建築用造作材１０の一体状態で、建築用造作材１０の長手方向に沿う長さを、建築用造作材１０が巾木として用いられる建物の床面と壁面の交差部の長さに適合する長さＬに切断する（図３（Ａ））。
【００２３】
（２）建築用造作材１０が建物の入隅部（図４（Ａ））や出隅部（図４（Ｂ））で相交差する壁面のそれぞれに固定されるときには、建築用造作材１０の一体状態で、建築用造作材１０の端面に上面視で４５度の面取りを施す（図３（Ａ））。
【００２４】
（３）建築用造作材１０の本体２０と嵌合部材３０を折れ容易部４０に沿って折ることにより２分割する（図１（Ｂ）、図３（Ｂ））。このとき、カッタ等により折れ容易部４０に沿って切れ目を入れて一層折れ易くしても良い。
【００２５】
（４）嵌合部材３０を床面に沿わせるとともに、その嵌合突部３２を上端側に位置付けるように、釘３３で床面に固定する。
【００２６】
（５）本体２０を釘２３で壁面に固定する。このとき、本体２０の嵌合溝２２を備える下端部を嵌合部材３０の嵌合突部３２に重ね、その嵌合溝２２に嵌合部材３０の嵌合突部３２を上下スライド可能に嵌合する。
【００２７】
本体２０の嵌合溝２２を備える下端部と嵌合部材３０の嵌合突部３２の重なり代を調整することにより、本体２０と嵌合部材３０の組合わせからなる巾木の高さを調整できる。床面の不陸に対応し、巾木の上端面の水平状態を調整し、体裁良く納めることができる。本体２０と嵌合部材３０の分割端面（折れ容易部４０）は本体２０の表面２１Ａの下端部の裏面側に配置されて居住者の目線に触れることがない。
【００２８】
本実施形態によれば以下の作用がある。
▲１▼建築用造作材１０は、施工現場で、本体２０と嵌合部材３０を折れ容易部４０に沿って折ることにより、それらの本体２０と嵌合部材３０を分割して用いることができ、施工簡易にして現場作業能率を向上できる。
【００２９】
▲２▼本体２０と嵌合部材３０が発泡層１１を含むことにより折れ容易化できる。発泡層１１の表層側に非発泡層１２を含むことによって、非発泡層１２の表面に木目印刷を施す等、非発泡層１２の表面性を向上できる。
【００３０】
▲３▼本体２０の裏面と嵌合部材３０の裏面がそれらの一体成形状態で面一をなす。従って、建物の入隅部や出隅部で相交差する壁面のそれぞれに固定される建築用造作材１０の端面に４５度面取りを施すため、本体２０と嵌合部材３０を一体状態で４５度面取り加工し、その後本体２０と嵌合部材３０を折れ容易部４０に沿って折ることにより分割したとき、本体２０の裏面と嵌合部材３０の裏面がともに壁面に接する建物への固定状態で本体２０と嵌合部材３０の全長（Ｌ１＝Ｌ２＝Ｌ）を同一にすることができる（図３（Ｂ））。従って、本体２０と嵌合部材３０の全長の切断及び４５度面取り加工を、それらの一体状態で一度に行なっても、その後の長さ修正作業を伴うことがなく、現場作業能率を向上できる。
【００３１】
▲４▼床面と壁面の交差部に配置される巾木において、上述▲１▼〜▲３▼を実現できる。
【００３２】
（第２実施形態）（図５、図６）
第２実施形態の建築用造作材１０が第１実施形態の建築用造作材１０と異なる点は、以下の通りである。
【００３３】
建築用造作材１０は、本体２０の表面２１Ａと嵌合部材３０の表面３１Ａを鉛直に配置した状態で、表面２１Ａと表面３１Ａを面一にし、それらの境界部に建築用造作材１０の長手方向に沿う凹溝４１を設ける（図６）。また、建築用造作材１０は、本体２０の裏面２１Ｂと嵌合部材３０の裏面３１Ｂを鉛直に配置した状態で、嵌合部材３０の上面３１Ｃを水平状にして本体２０の嵌合溝２２（溝側面）に交差させ、本体２０の嵌合溝２２と嵌合部材３０の上面３１Ｃの交差部に建築用造作材１０の長手方向に沿う凹溝４２を設ける（図６）。そして、凹溝４１と凹溝４２に挟まれる水平線に沿う薄肉部を折れ容易部４０とする。
【００３４】
建築用造作材１０は、本体２０と嵌合部材３０の一体成形状態で、本体２０の裏面２１Ｂに対し、嵌合部材３０の裏面３１Ｂを浮かせて（非面一状態）設けた。
【００３５】
本実施形態によれば、第１実施形態において前述した▲１▼、▲２▼、▲４▼と同様の作用がある。建築用造作材１０の本体２０と嵌合部材３０が建物の巾木を構成するとき、本体２０と嵌合部材３０の分割端面（折れ容易部４０）は本体２０の表面２１Ａの下端部の下端面を構成するものとなって居住者の目線に触れにくい。
【００３６】
尚、本発明の建築用造作材は、建物の天井面と壁面の交差部に配置される回り縁として用いることもできる。この場合には、建築用造作材の本体と嵌合部材を折れ容易部に沿って折ることにより分割した後、嵌合部材を天井面に沿わせるとともに、嵌合突部を下端側に位置付けるように固定し、本体を壁面に固定し、その嵌合溝に嵌合部材の嵌合突部を上下スライド可能に嵌合する。
【００３７】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の建築用造作材は本体と嵌合部材に分割しない一体状態で巾木、回り縁等として用いることもできる。
【００３８】
【発明の効果】
本発明によれば、本体と嵌合部材を上下スライド可能に嵌合可能にする建築用造作材において、施工簡易にして現場作業能率を向上することができる。
【図面の簡単な説明】
【図１】図１は第１実施形態の建築用造作材を示し、（Ａ）は一体状態を示す端面図、（Ｂ）は分割状態を示す端面図、（Ｃ）は施工状態を示す端面図である。
【図２】図２は図１の折れ容易部を拡大して示す端面図である。
【図３】図３は建築用造作材を示し、（Ａ）は一体状態を示す斜視図、（Ｂ）は分割状態を示す斜視図である。
【図４】図４は建築用造作材が施工される入隅部と出隅部を示し、（Ａ）は入隅部を示す平面図、（Ｂ）は出隅部を示す平面図である。
【図５】図５は第２実施形態の建築用造作材を示し、（Ａ）は一体状態を示す端面図、（Ｂ）は分割状態を示す端面図、（Ｃ）は施工状態を示す端面図である。
【図６】図６は図５の折れ容易部を拡大して示す端面図である。
【符号の説明】
１０  建築用造作材
１１  発泡層
１２  非発泡層
２０  本体
２２  嵌合溝
３０  嵌合部材
３２  嵌合突部
４０  折れ容易部
【図１】
2004211469.tif 000003
【図２】
2004211469.tif 000004
【図３】
2004211469.tif 000005
【図４】
2004211469.tif 000006
【図５】
2004211469.tif 000007
【図６】
2004211469.tif 000008